(57)【特許請求の範囲】
【請求項１】
ファンによる送風とイオン風を誘起させて送風するものとの両者を備えた空気清浄器であって、一端部が室内空気の入口となり他端部がイオン風の流路への出口となった検出用通路を有するダストセンサ装置を設けてイオン風の流路を流れるイオン風の流れにより検出用通路を室内空気が流れるように設定し、イオン風の流れにより検出用通路を流れる室内空気の汚れを検出するためのダストセンサをダストセンサ装置に設け、該ダストセンサによる室内空気の汚れの検出値が一定以上となると前記イオン風を誘起させて送風する運転に加えてファンを運転するように制御する制御部を設けて成ることを特徴とする空気清浄器。
【発明の詳細な説明】
【０００１】
【発明の属する技術分野】
本発明は、ファンにより送風とイオン風を誘起させて送風するものとの両者を備えた空気清浄器に関するものである。
【０００２】
【従来の技術】
従来から、室内の空気を吸い込んで集塵手段により清浄化する空気清浄器においては、空気を吸い込んで吹き出させるための送風手段が必要である。そして、従来の空気清浄器としては、ファンにより送風して集塵手段により清浄化するものと、イオン風を誘起して送風して集塵手段により清浄化するものとの２種類があった。
【０００３】
ところが、ファンを備えた空気清浄器は送風量が多く取れるが、騒音が大きく、また電気代も高くなり、このため、寝室や書斎のように長時間にわたって静かに空気清浄を行うものには適していなかった。一方、イオン風を誘起するタイプの空気清浄器は、送風量が少なく、短時間ですばやく空気を浄化するにはファンタイプのものにおよばないという問題があった。
【０００４】
また、室内空気の汚れ状態を検出するためにダストセンサ装置を空気清浄器の本体ケースの外面に取付けることが行われているが、このものにおいては、室内の空気の流れに任せた状態で検出することになるので、検出速度が遅くなる。このため、ファンにより送風して集塵手段により清浄化するものにおいて、室内空気の汚れ状態を検出するためのダストセンサ装置を流路中に設け、室内空気の汚れ状態を検出しようとすることが行われているが、これだとファンを回転して室内空気を強制的にダクトセンサ装置の所に流して汚れ状態を検出することができるが、室内空気の汚れ状態を検出しようとする毎にファンを運転しなければならないという問題があり、消費電力がアップしてコストが高くかかるという問題がある。
【０００５】
【発明が解決しようとする課題】
本発明は上記の従来例の問題点に鑑みて発明したものであって、静かに空気清浄を行いたい場合や、あるいは短時間ですばやく空気清浄を行いたい場合等、目的に応じて空気清浄モードを選択して効果的に対応でき、また、室内空気の汚れを検出するに当たって簡単な構成で素早く検出することができ、汚れ検出に当たって消費電力を少なくでき、また、室内空気の汚れが一定以上の場合には自動的にファンを運転して素早く室内空気の汚れを浄化することができる空気清浄器を提供することを課題とするものである。
【０００６】
【課題を解決するための手段】
上記課題を解決するため、本発明の空気清浄器は、ファン１による送風とイオン風を誘起させて送風するものとの両者を備えた空気清浄器２であって、一端部が室内空気の入口となり他端部がイオン風の流路３への出口となった検出用通路３２を有するダストセンサ装置３１を設けてイオン風の流路３を流れるイオン風の流れにより検出用通路３２を室内空気が流れるように設定し、イオン風の流れにより検出用通路３２を流れる室内空気の汚れを検出するためのダストセンサ３１ａをダストセンサ装置３１に設け、該ダストセンサ３１ａによる室内空気の汚れの検出値が一定以上となると前記イオン風を誘起させて送風する運転に加えてファン１を運転するように制御する制御部４０を設けて成ることを特徴とするものである。本発明にあってはこのような構成とすることで、静かに空気清浄を行いたい場合にはイオン風誘起による送風で空気浄化をし、短時間ですばやく空気浄化がしたい場合や空気の汚れ度合いが大きい場合にはファン１による送風で空気浄化するものである。そして、室内空気の汚れ状態を検出したい場合には、イオン風を誘起することで流路３をイオン風が流れて、該イオン風の流れに沿って室内空気が検出用通路３２から吸い込まれて、素早くダストセンサ３１ａにより汚れを検出することができるものである。そして、この室内空気の汚れの検出に当たっては、イオン風の誘起による流れを利用して素早く室内空気を吸い込んで行うので、従来のようにファンを運転することで汚れの検出を行うものに比べて消費電力が少なくできるものである。また、上記のようにして検出した室内空気の汚れ状態が一定以上となると、ファン１を運転して送風量を多くして素早く室内空気の汚れを浄化できるものである。
【０００７】
【発明の実施の形態】
以下、本発明を添付図面に示す実施形態に基づいて説明する。
空気清浄器２の本体ケース４は前面側が大きく開口しており、この本体ケース４の前面開口部を覆うように前カバー５が着脱自在に取付けられる。前カバー５はその大部分が空気吸入部１０となっており、空気吸入部１０としては網状又は多数の小孔を形成したり、あるいはルーバ片間に吸い込み口を形成したりして形成してある。
【０００８】
図１、図２に示すように、本体ケース４の前面開口部は後方に向けて凹んでいて該凹み部分の奥がフィルタ取付け部６となっていて、該フィルタ取付け部６にフィルタ７が着脱自在に取付けられる。このフィルタ７の取付け作業や取り外し作業は前カバー５を取り外すことで行うことができる。フィルタ７は単一種類の１層のフィルタ構成であってもよく、あるいは複数種類のフィルタを多層に重ねた多層のフィルタ構成であってもよい。図３に示す実施形態では粗い埃を除去するためのプレフィルタ７ａ、除塵及び脱臭するためのフィルタ本体７ｂ、新築時に建材から発生するホルマリンを除去するためのホルマリン除去用のフィルタ７ｃの多層構造となっている例が示してある。
【０００９】
本体ケース４の上記フィルタ取付け部６の背部にはファン収納部８が設けてあり、該ファン収納部８にファン１（添付図面に示す実施形態ではシロッコファン）が配設してある。そして、上記フィルタ取付け部６の奥壁にファン１と連通する孔９が開口してある。本体ケース４の後部の上面部にはファン用排出口１１が設けてあり、ファン１を運転すると、図５の白抜きの矢印のように、前カバー５の空気吸入部１０からフィルタ７に向けて水平に空気が吸い込まれ、フィルタ７で浄化され、孔９、ファン１を経てファン用排出口１１から上方に排出されるようになっている。
【００１０】
上記のように、本体ケース４の前面開口部には前カバー５が取付けられ、また、該前面開口部の後方に凹んだ部分の奥部にフィルタ７が取付けられることで、前カバー５とフィルタ７との間に空間が形成される。この空間がイオン風の流路３となっている。本体ケース４には上記空間の下底部分に上下方向に開口する吸い込み口１２が設けてある。この吸い込み口１２は本体ケース４の最下端部の前面に設けた下端開口１３と導入検出用通路１４を介して連通している。また、上記吸い込み口１２には比較的大きい粉塵を捕集するためのプレフィルタ１８が取り付けられる。
【００１１】
本体ケース４の上面部の前部には上記前カバー５とフィルタ７との間に形成される空間により構成されるイオン風の流路３と連通する吹き出し口１５が設けてある。
また、上記前カバー５とフィルタ７との間に形成される空間により構成されるイオン風の流路３の下部と上部とにはそれぞれ第１放電極ブロック１６と第２放電極ブロック１７とが設けられる。
【００１２】
ここで、第１の放電極ブロック１６は、空気中の粉塵を帯電させてイオン風を誘起する粉塵電荷手段及びイオン風誘起手段を構成しており、図４に示すように、上下に開口する矩形状の電極枠１９と、この電極枠１９内の下部に配置された放電線２０と、電極枠１９内の上部に配置された導電性薄鋼板からなる対極板２１とで構成されている。放電線２０は、その端部がコイルばね２２により張力が加えられた状態で電極枠１９に取付けられている。また放電線１９の片側端部又は両端部にゴム製や合成樹脂製の弾性及び絶縁性を有するチューブ２３を被せ、振動を吸収する構造となっている。放電線２０は例えば細径の細いタングステン線あるいはピアノ線で形成されている。
【００１３】
放電線２０の上方に配置される対極板２１は、両端の絶縁被覆が施された部分で電極枠１９に固定されている。
このように形成された第１の放電極ブロック１６は、前カバー５を取り外すことで着脱可能となっている。そして、第１の放電極ブロック１６を本体ケース４の上記空間の下部に配設して取付けた状態（図示を省略した支持部材により支持して取付けられる）で第１の放電極ブロック１６に、放電線２０には例えば＋６．５ｋＶの電圧が印加され、対極板２１には例えば−６．５ｋＶの電圧が印加されるようになっている。
【００１４】
フィルタ７は導電性の材料で形成してあり、該フィルタ７は接地してあるか又は電源が投入された時、例えば−６．５ｋＶの電圧が印加されるようになっている。
イオン風の流路３を構成する空間の上部に設けた第２の放電極ブロック１７は、前記第１の放電極ブロック１６と同様、イオン風を誘起する機能を有している。すなわち、第２の放電極ブロック１７には、上方を向いたイオン化針２４と、その上方に配置されたイオン化針対極板２５とで構成されており、イオン化針２４には例えば−６．５ｋＶの電圧が印加され、イオン化針対極板２５は回路の接地側に接続されている。
【００１５】
次に、イオン風を誘起させて空気清浄する場合の動作につき説明する。第１の放電極ブロック１６、第２の放電ブロック１７にそれぞれ上記のように電圧を印加すると、まず、放電線２０の近傍の空気が電離されてプラスイオンが発生し、このプラスイオンはマイナス電位となっている対極板２１に向かって移動する。そして、この移動の途中でプラスイオンが空気中の分子に衝突し、プラスイオンの運動エネルギーが空気中の分子に与えられ、空気が移動する。このようにして発生する空気の流れがイオン風と呼ばれる風であり、分子の移動により上方に向かうイオン風が発生する。
【００１６】
このようにして生じるイオン風により、図５の黒塗りの矢印のように本体ケース４の最下端部の下端開口１３から室内空気が吸い込まれて吸い込み口１２を経てイオン風の流路３を上昇して本体ケース４の上面前部の吹き出し口１５から流出する風の流れが生じる。この場合、プレフィルタ１８で大きな粉塵が捕集され、その後、第１の放電極ブロック１６において、空気中の粉塵は上記プラスイオンと衝突してプラスに帯電され、このプラスに帯電された粉塵は、イオン風により上方に移動して、接地又はマイナス電位となっているフィルタ７に引き寄せられてフィルタ７に捕集される。その後、第２の放電極ブロック１７において、第１の放電極ブロック１６と同様な原理でイオン風が加速され、更に、吹き出し口１５近傍に設けられているイオン化針２４によってマイナスイオンが添加される。このイオン化針２４の先端付近で空気が電離されてマイナスイオンが発生し、イオン化針２４と接地されたイオン化針対極板２５との間に発生した電気力線に沿って吹き出し口１５へイオン風が導かれて人間の体に良いとされているマイナスイオンを添加した浄化空気が室内に放出されるものである。
【００１７】
本体ケース４の外面部の上部（実施形態においては側面上部）にはダストセンサ装置３１が取付けてある。このダストセンサ装置３１には室内とイオン風の流路３の上部とに開口する検出用通路３２が設けてある。つまり、該検出用通路３２の一端部は室内に開口して室内空気の入口３１ｋとなっており、また、他端部はイオン風の流路３に開口していてイオン風の流路３への出口３１ｍとなっており、上記イオン風が流路３を流れる際のイオン風の流れに引かれて室内の空気が検出用通路３２内を通ってイオン風の流路３の上部に流れ込むようになっている。このようにダストセンサ装置３１の検出用通路３２内を室内空気が流れる際に、ダストセンサ装置３１に設けたダストセンサ３１ａにより空気の汚れ度合いを検出するようになっている。このようにすることで、素早く室内空気の汚れの検出ができるのである。
【００１８】
ダストセンサ装置３１は図８に示す内部の概略構成図のように、ボックス状の本体３１ｂ内に両端部が開口した検出用通路３２を形成し（つまり検出用通路３２の入口３１ｋが室内に開口し、検出用通路３２の出口３１ｍがイオン風の流路３に連通している）、この検出用通路３２内に上下に隙間３１ｉを介して対向する隔壁３１ｃを設けてボックス状の本体３１ｂを２つの部屋３１ｄ、３１ｅに仕切り、一方の部屋３１ｄに発光部３１ｆを設けると共に他方の部屋３１ｅに受光部３１ｇを設けて構成してあり、この発光部３１ｆ、受光部３１ｇによりダストセンサ３１ａが構成してある。図中３１ｊはダストセンサ装置３１に設けられる電子回路部である。図９には発光部３１ｆから発光される発光エリアと、受光部３１ｇで受光する受光エリアとの関係を示す説明図が示してあり、この図９から明らかなように発光部３１ｆから発光された光は受光部３１ｇに直接到達しないような構成となっている。ここで、発光部３１ｆは一定周期毎にＬＥＤを発光し、受光部３１ｇも発光部３１ｆの周期に合わせて、受光量を検出するようになっている。そして、検出用通路３２内を入口３１ｋから出口３１ｍに向けて室内空気が流れると、該室内空気に含まれている塵（粒子）により発光部３１ｇから発光された光が散乱し、受光部３１ｆ側に光が到達するので、この光の量の変化を検出し、受光量を粉塵量に変換することで、室内空気の汚れ状態を検出することができるようになっている。
【００１９】
次に、本発明の運転モードにつき説明する。
本体ケース４の外面（前面や上面などの外面）には操作スイッチ３０や各種動作表示部が設けてある。本実施形態においては、操作スイッチ３０を操作することで、「切り」、「自動モード」、「イオンモード」、「ファンモード」が選択できるようになっている。
【００２０】
具体例につき説明すると、操作スイッチ３０を操作することで「切り」→「自動モード」→「イオンモード」→「ファンモード」→「切り」の順序で切り換えることができるようになっている。図１０には制御ブロック図が示してあり、本発明においては上記各モード中「イオンモード」においてダストセンサ３１ａにより室内空気の汚れ度合いを検出すると、該検出データは図１０のように制御部４０に入力され、室内空気の汚れ度合いが一定値以上の場合には制御部４０からの出力によりファン１が運転されるようになっている。
【００２１】
しかして「切り」の状態は運転が停止されている状態であるが、この「切り」の状態で、操作スイッチ３０を操作するとまず「自動モード」になる。この「自動モード」とは室内空気の汚れを自動的に検出するモードである。すなわち、操作スイッチ３０を操作して「自動モード」になると、イオン風を誘起させて送風させる運転となり、このイオン風の流れにより室内空気がダストセンサ装置３１の検出用通路３２を通して流路３に引き込まれるので、室内空気の汚れ状態を室内空気がダストセンサ装置３１の検出用通路３２を通過する際にダストセンサ３１ａにより素早く検出される。
【００２２】
このイオン風の流れにより流れ込む室内空気の汚れ状態をダストセンサ３１ａによって検出した検出結果は制御部４０に出力され、汚れ度合いが一定値以下の場合にはそのままイオン風を誘起して送風浄化する運転のみを継続を行うように制御し、汚れ度合いが一定値以上の場合にはその汚れ度合いに応じてイオン風を誘起して送風する運転に加えてファン１を「弱」又は「標準」又は「急速」で運転し、室内空気の汚れを風量の大きいファン１の運転による浄化で素早く浄化するように制御部からの制御信号によりファン１が運転制御される。そして、ダストセンサ３１ａによる室内空気の汚れ状態の検出結果が一定値以下に下がると、ファン１による運転を停止し、イオン風を誘起して送風浄化する運転のみが継続するように制御されるものである。
【００２３】
次に操作スイッチ３０を操作して上記「自動モード」から「イオンモード」に切り換えると、「イオンモード」ではイオン風を誘起して送風浄化する運転のみが連続して行われるものであり、この「イオンモード」の運転では室内空気が一定値以上汚れ状態であっても、ファン１の運転は行われないようになっている。このように「イオンモード」の運転においては、イオン風を誘起して送風浄化する運転のみで、ファン１の運転による送風浄化は行わないので、音が静かで、特に睡眠を取る時などに最適である。
【００２４】
次に操作スイッチ３０を操作して上記「イオンモード」から「ファンモード」に切り換えると、「ファンモード」ではファン１の運転による送風浄化が行われるものであり、ファン１の運転によって送風量を多くして汚れの度合いが大きい室内空気の浄化や、短時間で室内空気を浄化することができる。この「ファンモード」においては、風量の異なる「弱ファンモード」、「標準ファンモード」、「急速ファンモード」が選択できるようになっている。この「ファンモード」では同時にイオン風を誘起して送風浄化する運転も行われる。
【００２５】
なお、上記実施形態においては、本体ケース４の外面部の上部にダストセンサ装置３１を取付け、ダストセンサ装置３１の検出用通路３２の一端部が室内に開口し、他端部がイオン風の流路３の上部に連通するようにした例を示したが、ダストセンサ装置３１の取付け位置は本体ケース４の外面部の上部のみに限定されず、検出用通路３２の一端部が室内に開口し、検出用通路３２の他端部がイオン風の流路３に連通するものであれば、本体ケース４の他の部分にダストセンサ装置３１を取付けてもよく、また、吸い込み口１２と下端開口１３とを連通する導入検出用通路１４内にダストセンサ装置３１を配設してもよく、この場合には検出用通路３２の一端が吸い込み口１２側に開口して室内空気の入口となり、他端部が下開口１３側に開口して流路３への出口となっており、イオン風の流れにより下開口１３から流入した室内空気の一部がダストセンサ装置３１の検出用通路３２内を流れることで、ダストセンサ装置３１に設けたダストセンサ３１ａにより室内空気の汚れ状態を検出できることになる。
【００２６】
上記のようにダストセンサ装置３１は種々の位置に種々の形態で設けることができるが、図１１にはダストセンサ装置３１の取付けの具体的一例を示している。すなわち、本実施形態においては、本体ケース４の外面部にダストセンサ装置３１を取付ける例が示してあり、本体ケース４の外面部と本体ケース４内のイオン風の流路３とに連通するように孔部３５が形成してあり、この孔部３５内に孔部３５の外側から出し入れ自在となるようにダストセンサ装置３１がはめ込んである。ダストセンサ装置３１の外殻を構成するボックス状の本体３１ｂは片面が開口した箱形本体部３１ｐの開口に蓋板３１ｑを着脱自在に取付けて構成してある。このダストセンサ装置３１を孔部３５にはめ込んだ状態で孔部３５の外側の開口部分にはダストセンサカバー３６が開閉自在に取付けてある。ダストセンサカバー３６で孔部３５の外側の開口部を閉じてダストセンサ装置３１が外部に露出しないようにカバーするのであるが、この場合、ダストセンサカバー３６に設けた開口３６ａが本体３１ｂに設けた検出通路３２の入口３１ｋと連通するようになっている。
【００２７】
しかして、この実施形態においては、ダストセンサ装置３１の内部のほこりを掃除するに当たっては、空気清浄器の電源を切り、図１１（ａ）の状態からダストセンサカバー３６を図１１（ｂ）のように外し、次に、図１１（ｃ）のように孔部３５からダストセンサ装置３１を引出し、次に、図１１（ｄ）のように蓋板３１ｑを外して、箱形本体部３１ｐの内部及び蓋板３１ｑの内面を綿棒や柔らかい布により掃除し、掃除が終わると、再び箱形本体部３１ｐに蓋板３１ｑを取付け、ダストセンサ装置３１を孔部３５内にはめこみ、図１１（ａ）のように孔部３５の外側の開口部分にダストセンサカバー３６を取付けて再使用するもである。このような構成とすることで、ダストセンサ装置３１を本体ケース４の外に取り出して簡単に内部の掃除をすることができるものである。なお、孔部３５からダストセンサ装置３１を引き出して取り出す際、ダストセンサ装置３１に引出し用のテープ４５の一端部を取付けておくと、この引出し用のテープ４５の先端部を図１１（ｃ）のように指で摘んで引っ張ることで簡単に引き出すことができるものである。
【００２８】
図１２乃至図１５にはフィルタ７をフィルタ取付け部６に取付ける一実施形態が示してある。すなわち、本体ケース４の前面開口部が後方に向けて凹んでいて該凹み部分の奥がフィルタ取付け部６となっているが、このフィルタ取付け部６の下端部及び両側端部にはそれぞれＬ字状をした係止具３７が設けてあり、また、フィルタ取付け部６の上端部には傾斜したガイド部３８ａを有する上支持具３８が設けてある。ガイド部３８ａは上支持具３８の前面部に設けてあって、ガイド部３８ａの前面を下端部程後側に位置するような傾斜面とすることでガイド部３８ａを構成してある。しかして、フィルタ７を取付けるに当たっては、まず、図１４に示すようにフィルタ７の両端部をフィルタ取付け部６の両側端部に設けたＬ字状をした係止具３７に挿入係止すると共に、図１３に示すようにフィルタ７の下端部をフィルタ取付け部６の下端部に設けたＬ字状をした係止具３７に挿入係止し、その後、フィルタ７の上端部を上支持具３８の傾斜したガイド部３８ａに沿ってガイドしながら上支持具３８の後部に押し込んで図１２、図１５に示すように係止するものである。このようにすることで、フィルタ７をフィルタ取付け部６に上下左右の４箇所において簡単且つ正確に取付けることができるものである。つまり、フィルタ７をフィルタ取付け部６に下と左右の３箇所で取付けるものにおいてはフィルタ７の上端部が支持してないためフィルタ７が前に倒れてくる場合があるが、本実施形態のように上下左右の４箇所で取付けるとフィルタ７の前倒れを防止し、しかも、傾斜したガイド部３８を有する上支持具３８を設けていることで、上記のようにフィルタ７を上下左右の４箇所で取付けるものであるにもかかわらずフィルタ７の取付け性がよいものである。
【００２９】
図１６には本発明に使用するフィルタ７の一実施形態が示してある。すなわち、フィルタ７は前述のように導電性の材料で形成してあるが、このようなフィルタ７としては例えば、図１７に示す概略図のように、除塵用のろ材４１と、導電繊維が練り込まれた導電繊維材４２とを重ねて同時にプリーツ（山折り）加工し、内部に消臭材４３を入れ、更にカバー材４４′を積層して構成するが、これだと、除塵用のろ材４１と、導電繊維が練り導電繊維材４２とを重ねているために、フィルタ７の圧損が生じるので、図１６に示す実施形態においては、除塵用のろ材４１をプリーツ（山折り）加工し、内部に消臭材４３を入れ、更に導電繊維入りのカバー材４４を積層してフィルタ７を構成してある。この図１６に示す構成のフィルタ７は図  に比べて別体の導電繊維が練り込まれた導電繊維材４２を必要としないので、フィルタ７の圧損を低減することができて、同じ風量でも騒音を押さえることができるものである（または同じ騒音値で風量をアップさせることができるものである）。
【００３０】
【発明の効果】
本発明にあっては、上述のように、ファンによる送風とイオン風を誘起させて送風するものとの両者を備えた空気清浄器であるので、一つの空気清浄器により、静かに空気清浄を行いたい場合や、あるいは短時間ですばやく空気清浄を行いたい場合等、目的に応じて空気清浄モードを選択して効果的に対応できて使用勝手が優れているものであり、また、一端部が室内空気の入口となり他端部がイオン風の流路への出口となった検出用通路を有するダストセンサ装置を設けてイオン風の流路を流れるイオン風の流れにより検出用通路を室内空気が流れるように設定し、イオン風の流れにより検出用通路を流れる室内空気の汚れを検出するためのダストセンサをダストセンサ装置に設け、該ダストセンサによる室内空気の汚れの検出値が一定以上となると前記イオン風を誘起させて送風する運転に加えてファンを運転するように制御する制御部を設けてあるので、室内空気の汚れ状態を検出したい場合には、イオン風を誘起することでイオン風の流路をイオン風が流れて、該イオン風の流れに沿って室内空気が検出用通路から吸い込まれて、素早くダストセンサにより汚れを検出することができるものであり、しかもこのように、室内空気の汚れの検出をするに当たって、イオン風の誘起による流れを利用して素早く室内空気をダストセンサ装置の検出用通路に吸い込んで行うので、従来のようにファンを運転することで汚れの検出を行うものに比べて消費電力が少なくできて、コストダウンが図れるとともに騒音もないものであり、また、ダストセンサにより検出した室内空気の汚れ状態が一定以上となると、前記イオン風を誘起させて送風する運転に加えてファンを運転して送風量を多くして素早く室内空気の汚れを浄化できるものである。
【図面の簡単な説明】
【図１】本発明の断面図である。
【図２】同上の斜視図である。
【図３】同上の分解斜視図である。
【図４】（ａ）は第１の放電極ブロックの正面断面図であり、（ｂ）は下面図である。
【図５】同上のファン運転とイオン運転時の送風方向を示す説明のための断面図である。
【図６】同上のファン運転時の空気の流れを示す斜視図である。
【図７】同上のイオン運転時における空気の流れを示す斜視図である。
【図８】同上のダストセンサ装置の内部の概略構成図である。
【図９】同上のダストセンサ装置における発光部から発光される発光エリアと受光部で受光する受光エリアとの関係を示す説明図である。
【図１０】本発明のダストセンサによる検出結果に基づいて制御される送風の制御ブロック図である。
【図１１】（ａ）（ｂ）（ｃ）（ｄ）は同上のダストセンサ装置を掃除のために取り出す順序を示す説明図である。
【図１２】本発明のフィルタの取付け例を示す全体断面図である。
【図１３】同上のフィルタの側端部を係止具により係止して支持している部分の斜視図である。
【図１４】同上のフィルタの下端部を係止具により係止して支持している部分の斜視図である。
【図１５】同上のフィルタの上端部を上支持具により支持している状態の下方から見た斜視図である。
【図１６】同上に用いるフィルタの実施形態を示し、（ａ）は概略断面図であり、（ｂ）は概略斜視図である。
【図１７】比較例のフィルタを示す概略断面図である。
【符号の説明】
１  ファン
２  空気清浄器
３  イオン風の流路
３１  ダストセンサ装置
３１ａ  ダストセンサ
３２  検出用通路
４０  制御部
【図１】
0003707225.tif 000002
【図２】
0003707225.tif 000003
【図３】
0003707225.tif 000004
【図４】
0003707225.tif 000005
【図５】
0003707225.tif 000006
【図６】
0003707225.tif 000007
【図７】
0003707225.tif 000008
【図８】
0003707225.tif 000009
【図９】
0003707225.tif 000010
【図１０】
0003707225.tif 000011
【図１１】
0003707225.tif 000012
【図１２】
0003707225.tif 000013
【図１３】
0003707225.tif 000014
【図１４】
0003707225.tif 000015
【図１５】
0003707225.tif 000016
【図１６】
0003707225.tif 000017
【図１７】
0003707225.tif 000018